(57)【要約】【課題】低温環境下でもカメラを保持したときの安定性、グリップ感を損なうことなく円滑な撮影を行うことができるハンドストラップを提供する。【解決手段】カメラ筐体５０外部に取り付けられるハンドストラップ１００において、撮影者の親指ＴＦを覆う第１の防寒部１３と親指ＴＦ以外の指を覆う第２の防寒部１２とを、撮影者の手の甲を覆うハンドグリップ本体１にそれぞれ着脱可能とした。【選択図】図１
2010004914.tif 000002
【特許請求の範囲】
【請求項１】
カメラ筐体外部に取り付けられるハンドストラップにおいて、
撮影者の手の甲を覆うハンドグリップ本体と、
前記ハンドグリップ本体に取付けられ、撮影者の親指を覆う第１の防寒部と前記親指以外の指を覆う第２の防寒部と
を備えていることを特徴とするハンドストラップ。
【請求項２】
請求項１記載のハンドストラップにおいて、前記第１、第２防寒部の少なくとも一方は前記ハンドグリップ本体に対してそれぞれ着脱可能であることを特徴とするハンドストラップ。
【請求項３】
請求項１又は２記載のハンドストラップにおいて、前記第１、第２防寒部の少なくとも一方は発熱部材を収容可能な収容部を有することを特徴とするハンドストラップ。
【請求項４】
請求項１〜３のいずれか１項記載のハンドストラップにおいて、前記第１、第２の防寒部の少なくとも一方は装着手段を介して前記ハンドグリップ本体にそれぞれ着脱可能に装着されることを特徴とするハンドストラップ。
【請求項５】
請求項４記載のハンドストラップにおいて、前記装着手段は面ファスナであることを特徴とするハンドストラップ。
【請求項６】
請求項４記載のハンドストラップにおいて、前記装着手段はボタンであることを特徴とするハンドストラップ。
【請求項７】
請求項１〜６のいずれか１項記載のハンドストラップにおいて、前記第１、第２の防寒部に前記カメラ筐体外部に設けられた操作ボタンを操作するためのカメラ操作用孔がそれぞれ形成されていることを特徴とするハンドストラップ。
【発明の詳細な説明】
【技術分野】
【０００１】
この発明はハンドストラップに関する。
【背景技術】
【０００２】
従来、カメラを保持したときの安定性を良くするためのハンドストラップが知られている（下記公報参照）。
【０００３】
このハンドストラップは、手の甲に圧接する胴部と、胴部から３方向へ延びるように形成された第１、第２、第３腕とで構成されている。第１腕をカメラ上部の吊下環部に止着し、第２腕をカメラ後方から回して止着手段でカメラ下部に止着し、第３腕をカメラ前方から回して止着手段でカメラ下部に止着する。
【特許文献１】実開平１−７７１９６号公報
【発明の開示】
【発明が解決しようとする課題】
【０００４】
しかし、上記ハンドストラップでは、低温環境下でカメラを長時間に亘って使用すると、寒さで手がかじかんでカメラを思い通りに操作できなくなることがあった。これに対し、手袋を装着した上からハンドストラップを使用することも可能であるが、手袋を装着した分、操作性が低下し、カメラを保持したときの安定性、グリップ感も悪くなる。
【０００５】
この発明はこのような事情に鑑みてなされたもので、その課題は低温環境下でもカメラを保持したときの安定性、グリップ感を損なうことなく円滑な撮影を行うことができるハンドストラップを提供することである。
【課題を解決するための手段】
【０００６】
上記課題を解決するため請求項１記載の発明は、カメラ筐体外部に取り付けられるハンドストラップにおいて、撮影者の手の甲を覆うハンドグリップ本体と、前記ハンドグリップ本体に取付けられ、撮影者の親指を覆う第１の防寒部と前記親指以外の指を覆う第２の防寒部とを備えていることを特徴とする。
【０００７】
請求項２記載の発明は、請求項１記載のハンドストラップにおいて、前記第１、第２防寒部の少なくとも一方は前記ハンドグリップ本体に対してそれぞれ着脱可能であることを特徴とする。
【０００８】
請求項３記載の発明は、請求項１又は２記載のハンドストラップにおいて、前記第１、第２防寒部の少なくとも一方は発熱部材を収容可能な収容部を有することを特徴とする。
【０００９】
請求項４記載の発明は、請求項１〜３のいずれか１項記載のハンドストラップにおいて、前記第１、第２の防寒部の少なくとも一方は装着手段を介して前記ハンドグリップ本体にそれぞれ着脱可能に装着されることを特徴とする。
【００１０】
請求項５記載の発明は、請求項４記載のハンドストラップにおいて、前記装着手段は面ファスナであることを特徴とする。
【００１１】
請求項６記載の発明は、請求項４記載のハンドストラップにおいて、前記装着手段はボタンであることを特徴とする。
【００１２】
請求項７記載の発明は、請求項１〜６のいずれか１項記載のハンドストラップにおいて、前記第１、第２の防寒部に前記カメラ筐体外部に設けられた操作ボタンを操作するためのカメラ操作用孔がそれぞれ形成されていることを特徴とする。
【発明の効果】
【００１３】
この発明によれば、低温環境下でもカメラを保持したときの安定性、グリップ感を損なうことなく円滑な撮影を行うことができる。
【発明を実施するための最良の形態】
【００１４】
以下、この発明の実施の形態を図面に基づいて説明する。
【００１５】
図１（ａ）、図４はこの発明の一実施形態に係るハンドストラップ１００をカメラ筐体５０に装着した状態を示す斜視図、図１（ｂ）は発熱部材収納袋１６の拡大斜視図、図２はハンドストラップ１００の分解斜視図、図３はハンドストラップ１００の展開状態を示す図、図５はストラップ部材２ａの装着方法を説明する図である。
【００１６】
図１（ａ）は甲当て部材１に防寒部１２,１３を取り付けた状態を示し、図４は甲当て部材（ハンドグリップ本体）１に防寒部１２,１３を取り付けていない状態を示す。また、図５（ａ）はストラップ部材２ａを緩めていない状態を示し、図５（ｂ）は図５（ａ）の斜視図であり、図５（ｃ）はストラップ部材２ａを緩めた状態を示す。
【００１７】
図１、図４では撮影者は右手でカメラ筐体５０をグリップし、人差し指ＦＦをレリーズボタン（操作ボタン）２０に載せている。
【００１８】
ハンドストラップ１００は、カメラ筐体５０の外部に取り付けて使用される。
【００１９】
ハンドストラップ１００は、撮影者の手の甲のほぼ全体を覆う甲当て部材（ハンドグリップ本体）１と、甲当て部材１に取り付けられ、撮影者の親指ＴＦを覆う第１の防寒部１３と、甲当て部材１に取り付けられ、親指ＴＦ以外の指（人差し指ＦＦ、中指（図示せず）、薬指（図示せず）及び小指（図示せず））を覆う第２の防寒部１２とを備えている。
【００２０】
図３に示すように、ほぼ三角形の甲当て部材１の頂角部Ａ，Ｂにはストラップ部材２ａ，２ｂがそれぞれ一体的に形成され、頂角部Ｃにはストラップ部材２ａを通すための第１リング９ａ、９ｂが取り付けられている。ストラップ部材２ａの中間部には止着装置３が取り付けられている。止着装置３は、ストラップ部材２ａをカメラ下部の三脚を取り付けるためのめねじ８と螺合可能な取り付けねじ４と、ストラップ部材２ａを通すスリット状のストラップ取付部５とを有する。
【００２１】
取り付けねじ４をカメラ下部のめねじ８にねじ込むことによってストラップ部材２ａがカメラ筐体５０に取り付けられる。
【００２２】
ストラップ部材２ａには解放つまみ１１を有する矩形状の第２リング１０が装着されている。ストラップ部材２ａの先端部には第１リング９ａ、９ｂに通されたストラップ部材２ａが第１リング９ａ、９ｂから容易に抜けないようにストラップ部材抜け止め３０が取り付けられている（図５（ａ）参照）。
【００２３】
解放つまみ１１を第１リング９ａ、９ｂに通した後、ストラップ部材２ａの、解放つまみ１１よりもストラップ部材抜け止め３０側の部分を第１リング９ａ、９ｂ側に折り返し、そのストラップ部材２ａの先端部に位置するストラップ部材抜け止め３０を第１リング９ａに通して引き出す。その際、第１リング９ａ、９ｂはストラップ部材２ａの引出量を維持することができるので、第１リング９ａから引き出されたストラップ部材２ａの長さに応じて撮影者の手の甲の下部に対して甲当て部材１を密着させることができる（図１（ａ）、図４参照）。なお、図５（ａ）に示す状態から解放つまみ１１を第１リング９ａ、９ｂから離れる方向へ引っ張れば、ストラップ部材２ａを図５（ｃ）に示すように緩めることができる。
【００２４】
ストラップ部材２ｂにはストラップ部材２ｂを所定の長さに調節するためのストラップストッパ７が設けられている。ストラップ部材２ｂはカメラ筐体５０に設けられたストラップ取付部６に通され、折り返されてストラップストッパ７に通して引き出す。このようにしてストラップ部材２ｂがストラップ取付部６に取り付けられる。
【００２５】
その際、ストラップストッパ７はストラップ部材２ｂの引出量を維持することができるので、ストラップストッパ７から引き出されたストラップ部材２ｂの長さに応じて撮影者の手の甲の人差し指ＦＦの付け根近傍に対して甲当て部材１を密着させることができる。
【００２６】
甲当て部材１の頂角部Ａと頂角部Ｂとの間には面ファスナ（装着手段）１５ｂ等が取り付けられ、頂角部Ｃと頂角部Ｂとの間には面ファスナ（装着手段）１４ｂ等が取り付けられている。
【００２７】
図３に示すように、撮影者の親指ＴＦを覆う袋状の第１の防寒部１３には甲当て部材１に取り付けられた面ファスナ１４ｂに接合される面ファスナ（装着手段）１４ａが取り付けられている。第１の防寒部１３には、カメラ筐体５０の背面に設けられた、撮影モード等を設定するための操作ボタン等（図示せず）を操作するためのカメラ操作用孔１９ｂが形成されている。
【００２８】
撮影者の親指ＴＦ以外の指を覆う袋状の第２の防寒部１２には甲当て部材１に取り付けられた面ファスナ１５ｂに接合する面ファスナ（装着手段）１５ａが取り付けられている。第２の防寒部１２は人差し指ＦＦを動かしやすいように人差し指ＦＦを挿入する部分１２Ａと人差し指ＦＦ以外の指が挿入される部分１２Ｂとに分かれている。部分１２Ａには、カメラ筐体５０の上面に設けられたレリーズボタン２０を操作するためのカメラ操作用孔１９ａが形成されている。なお、第１の防寒部１３及び第２の防寒部１２は保温性に優れた例えば布、皮、ゴム等で製作される。
【００２９】
部分１２Ｂには発熱部材１７を収容可能な発熱部材収容袋（収容部）１６が設けられている。図１（ｂ）に示すように、発熱部材収容袋１６は発熱部材収容袋本体１６Ａと発熱部材収容袋本体１６Ａの開口部を開閉するための蓋部１８とからなる。発熱部材収容袋本体１６Ａに取り付けられた面ファスナ１６ｃと蓋部１８に取り付けられた面ファスナ１８ｃとを接合させることによって発熱部材収容袋本体１６Ａの開口部を閉めるとともに発熱部材１７の発熱部材収容袋１６からの落下を防止する。発熱部材１７としては、例えば不織布や紙の袋に空気中で酸化発熱する鉄粉を入れたいわゆる使い捨てカイロ、ゲル状の保温材を封入したカイロ、酸化ナトリウムの物理反応を利用したカイロ、電池式カイロ等がある。
【００３０】
低温環境下でないとき（例えば気温が高い環境下）でハンドストラップ１００を使用して撮影を行うときには、図４に示すように甲当て部材１だけをカメラ筐体５０の外部に取り付ける。
【００３１】
これに対し、低温環境下でハンドストラップ１００を使用して撮影を長時間に亘って行うときには、甲当て部材１に防寒部１２,１３を取り付ける。防寒部１２,１３によって、手が寒さでかじかんでカメラを思い通りに操作できなくなることを防ぐことができる。
【００３２】
この実施形態によれば、低温環境下での撮影であっても、寒さで手がかじかんでカメラを思い通りに操作できなくなることを防ぐことができ、カメラを保持したときの安定性、グリップ感を損なうこともない。また、防寒部１２,１３を甲当て部材１から取り外すことができるので、防寒部１２,１３を必要としない環境下での使用にも対応することができ、ハンドストラップ１００の使用の自由度が広がる。更に、第１の防寒部１３及び第２の防寒部１２にカメラ操作用孔１９ｂ及びカメラ操作用孔１９ａがそれぞれ形成されているので、レリーズボタン２０等の操作がし易くなる。また、第２の防寒部１２は人差し指ＦＦを挿入する部分１２Ａと人差し指ＦＦ以外の指が挿入される部分１２Ｂとに分かれているので、レリーズボタン２０等の操作を一層し易くすることができる。
【００３３】
なお、上記実施形態では甲当て部材１に第１の防寒部１３と第２の防寒部１２との両方を取り付けたが、防寒部１２だけを取り付けてもよいし、防寒部１３だけを取り付けてもよい。また、上記実施形態では第２の防寒部１２だけに発熱部材１７を収容可能な発熱部材収容袋１６を取り付けたが、発熱部材収容袋１６を第１の防寒部１３に取り付けてもよいし、第１の防寒部１３と第２の防寒部１２との両方に取り付けてもよい。更に、上記実施形態では装着手段として面ファスナを用いたが、これに代えてスライドファスナ、スナップボタン等を用いてもよい。
【図面の簡単な説明】
【００３４】
【図１】図１（ａ）はこの発明の一実施形態に係るハンドストラップをカメラ筐体に装着した状態を示す斜視図、図１（ｂ）は発熱部材収納袋の拡大斜視図である。
【図２】図２はハンドストラップの分解斜視図である。
【図３】図３はハンドストラップの展開状態を示す図である。
【図４】図４はこの発明の一実施形態に係るハンドストラップをカメラに装着した状態を示す図である。
【図５】図５はストラップ部材の装着方法を説明する図である。
【符号の説明】
【００３５】
１：甲当て部材（ハンドグリップ本体）、１２：第２の防寒部、１３：第１の防寒部、１４ａ，１４ｂ，１５ａ，１５ｂ：面ファスナ（装着手段）、１６：発熱部材収容袋（収容部）、１７：発熱部材、１９ａ，１９ｂ：カメラ操作用孔、２０：レリーズボタン（操作ボタン）、５０：カメラ筐体、１００：ハンドストラップ
【図１】
2010004914.tif 000003
【図２】
2010004914.tif 000004
【図３】
2010004914.tif 000005
【図４】
2010004914.tif 000006
【図５】
2010004914.tif 000007